(57)【要約】  【課題】  非接触通信後に、自動的に非接触ＩＣ機能に関する情報を表示可能な携帯端末装置および携帯端末装置の動作制御方法を提供すること。  【解決手段】  携帯電話部１０と非接触ＩＣカード機能部２０とを備えた携帯電話機１において、非接触ＩＣ用アンテナ２１は非接触ＩＣ用無線回路２２に接続され、外部のリーダ／ライタ装置との非接触通信を行う。リーダ／ライタ装置との通信が終了すると、非接触ＩＣ用制御回路２３は、非接触通信の完了を通知するとともに非接触ＩＣカード機能に関連する情報を携帯電話用制御回路１３に送信する。携帯電話用制御回路１３は、この通知を受取ると鳴動音をスピーカ１６から鳴動させるとともに、受信した情報に基づいた表示情報を表示装置１８に表示させる。【選択図】  図１
2005167658.tif 000002
【特許請求の範囲】
【請求項１】
外部装置と非接触通信を行う非接触通信手段と、前記非接触通信において受信した受信情報に基づいて処理を行う非接触通信制御手段とを有する非接触通信処理手段と、
前記非接触通信処理手段に接続され、前記非接触通信が完了すると前記非接触通信制御手段による処理の結果に関する表示情報を作成する端末制御手段と、
前記作成された表示情報を表示する表示手段と、
を備える携帯端末装置。
【請求項２】
請求項１記載の携帯端末装置であって、
前記非接触通信制御手段は、前記非接触通信が完了すると、前記端末制御手段に前記処理の結果を送信するものである携帯端末装置。
【請求項３】
請求項１記載の携帯端末装置であって、
前記非接触通信処理手段は非接触通信処理に関連した情報を記憶する非接触通信記憶手段をさらに有し、
前記非接触通信制御手段は、前記非接触通信が完了すると、前記処理の結果を前記非接触通信記憶手段に格納するとともに前記非接触通信が完了したことを示す非接触通信完了情報を前記端末制御手段に送信し、
前記端末制御手段は、前記非接触通信完了情報を受信すると、前記非接触通信記憶手段に記憶された情報を読出し、前記読出した情報に基づいて前記表示情報を作成するものである携帯端末装置。
【請求項４】
請求項１ないし３のいずれか一項記載の携帯端末装置であって、
前記端末制御手段は、前記表示手段に前記表示情報を所定時間表示させるものである携帯端末装置。
【請求項５】
請求項４記載の携帯端末装置であって、
前記所定時間を設定する表示時間設定情報が入力される入力手段をさらに備える携帯端末装置。
【請求項６】
外部装置と非接触通信を行う非接触通信手段と、前記非接触通信が完了すると前記非接触通信が完了したことを示す非接触通信完了情報を出力する非接触通信制御手段とを有する非接触通信処理手段と、
前記非接触通信制御手段に接続され、前記出力された非接触通信完了情報を受信すると非接触通信完了を通知する通知信号を出力する携帯端末制御手段と、
前記出力された通知信号に基づいて前記非接触通信完了を報知する報知手段と、
を備える携帯端末装置。
【請求項７】
請求項６記載の携帯端末装置であって、
前記報知手段は、音声を出力するスピーカ、振動を発生するバイブレータ、および光を発する発光部のうち、少なくとも一つを含むものである携帯端末装置。
【請求項８】
外部装置と非接触通信を行うステップと、
前記非接触通信において受信した受信情報に基づいて前記非接触通信に関連した処理を行うステップと、
前記非接触通信が完了すると前記非接触通信に関連した処理の結果に関する表示情報を表示するステップと、
を備える携帯端末装置の動作制御方法。
【請求項９】
外部装置と非接触通信を行うステップと、
前記非接触通信が完了すると前記非接触通信が完了したことを示す非接触通信完了情報を送信するステップと、
前記非接触通信完了情報を受信すると非接触通信完了を通知する通知信号を出力するステップと、
前記出力された通知信号に基づいて前記非接触通信完了を報知するステップと、
を備える携帯端末装置の動作制御方法。
【発明の詳細な説明】
【技術分野】
【０００１】
本発明は、非接触ＩＣカード機能を備えた携帯端末装置および携帯端末装置の動作制御方法に関する。
【背景技術】
【０００２】
従来、店頭での決済や交通系での料金処理に用いられてきた非接触ＩＣカードの機能を携帯電話端末に内蔵し、携帯電話端末をモバイルＥＣ（電子商取引）の用途に用いる技術が提案されている。例えば、商品購入可能なプリペイド型、またはクレジット型の非接触ＩＣカードの機能を携帯電話端末に内蔵し、店頭での料金支払い時に携帯電話端末で決済を行ったり、鉄道の自動改札機で使用されている非接触ＩＣカードを携帯電話端末に内蔵し、自動改札機に携帯電話端末をかざすことで駅構内に入場できるようになることが考えられている（例えば、特許文献１参照）。
【０００３】
しかしながら、上記従来の非接触ＩＣ機能を備えた携帯端末装置にあっては、使用者がスイッチ操作を行わないと非接触ＩＣ機能部の情報を表示できないという事情があった。
【０００４】
また、非接触ＩＣ機能部における外部リーダ／ライタ装置との通信を終えたことを通知するものではなく、使用者は携帯端末装置からは通信終了を認識できないという事情があった。
【特許文献１】特開２００２−８４３４５号公報
【発明の開示】
【発明が解決しようとする課題】
【０００５】
本発明は、上記従来の事情に鑑みてなされたものであって、非接触通信後に、自動的に非接触ＩＣ機能に関する情報を表示可能な携帯端末装置および携帯端末装置の動作制御方法を提供することを目的とする。
【０００６】
また、本発明は、非接触通信後に、自動的に非接触通信の完了を使用者に通知可能な携帯端末装置および携帯端末装置の動作制御方法を提供することを目的とする。
【課題を解決するための手段】
【０００７】
本発明の携帯端末装置は、
外部装置と非接触通信を行う非接触通信手段と、前記非接触通信において受信した受信情報に基づいて処理を行う非接触通信制御手段とを有する非接触通信処理手段と、
前記非接触通信処理手段に接続され、前記非接触通信が完了すると前記非接触通信制御手段による処理の結果に関する表示情報を作成する端末制御手段と、
前記作成された表示情報を表示する表示手段と、
を備える。
【０００８】
この構成により、非接触通信後に、自動的に非接触ＩＣ機能に関する情報を表示可能な携帯端末装置ができる。
【０００９】
また、前記非接触通信制御手段は、前記非接触通信が完了すると、前記端末制御手段に前記処理の結果を送信するものである。
【００１０】
この構成により、非接触通信制御手段は非接触通信が完了すると自動的に端末制御手段に非接触ＩＣカード機能に関連した処理の結果を送信するので、非接触通信後に、表示手段に自動的に非接触ＩＣ機能に関する情報を表示させることができる。
【００１１】
また、前記非接触通信処理手段は非接触通信処理に関連した情報を記憶する非接触通信記憶手段をさらに有し、
前記非接触通信制御手段は、前記非接触通信が完了すると、前記処理の結果を前記非接触通信記憶手段に格納するとともに前記非接触通信が完了したことを示す非接触通信完了情報を前記端末制御手段に送信し、
前記端末制御手段は、前記非接触通信完了情報を受信すると、前記非接触通信記憶手段に記憶された情報を読出し、前記読出した情報に基づいて前記表示情報を作成するものである。
【００１２】
この構成により、非接触通信制御手段は非接触通信が完了すると自動的に端末制御手段に非接触ＩＣカード機能に関連した処理の結果を送信するので、非接触通信後に、自動的に非接触ＩＣ機能に関する情報を表示させることができる。
【００１３】
また、前記端末制御手段は、前記表示手段に前記表示情報を所定時間表示させるものである。
【００１４】
この構成により、非接触ＩＣカード機能に関連した処理の結果の表示情報は所定時間表示されるので、その後、自動的に待ち受け画面等に切り替えることで、使用者は表示情報を切り替える必要がない。
【００１５】
また、本発明の携帯端末装置は、前記所定時間を設定する表示時間設定情報が入力される入力手段をさらに備える。
【００１６】
この構成により、使用者は表示情報の表示時間を設定可能であるので、表示情報を任意の時間表示させることができる。
【００１７】
本発明の携帯端末装置は、
外部装置と非接触通信を行う非接触通信手段と、前記非接触通信が完了すると前記非接触通信が完了したことを示す非接触通信完了情報を出力する非接触通信制御手段とを有する非接触通信処理手段と、
前記非接触通信制御手段に接続され、前記出力された非接触通信完了情報を受信すると非接触通信完了を通知する通知信号を出力する携帯端末制御手段と、
前記出力された通知信号に基づいて前記非接触通信完了を報知する報知手段と、
を備える。
【００１８】
この構成により、非接触通信後に、自動的に非接触通信の完了を使用者に通知可能な携帯端末装置を提供することができる。
【００１９】
また、前記報知手段は、音声を出力するスピーカ、振動を発生するバイブレータ、および光を発する発光部のうち、少なくとも一つを含むものである。
【００２０】
この構成により、使用者は、非接触通信の完了を分かりやすく認識することができる。
【００２１】
本発明の携帯端末装置の動作制御方法は、外部装置と非接触通信を行うステップと、
前記非接触通信において受信した受信情報に基づいて前記非接触通信に関連した処理を行うステップと、
前記非接触通信が完了すると前記非接触通信に関連した処理の結果に関する表示情報を表示するステップと、
を備える。
【００２２】
この方法により、非接触通信後に、自動的に非接触ＩＣ機能に関する情報を表示可能な携帯端末装置の動作制御方法を提供することができる。
【００２３】
また、本発明の携帯端末装置の動作制御方法は、
外部装置と非接触通信を行うステップと、
前記非接触通信が完了すると前記非接触通信が完了したことを示す非接触通信完了情報を送信するステップと、
前記非接触通信完了情報を受信すると非接触通信完了を通知する通知信号を出力するステップと、
前記出力された通知信号に基づいて前記非接触通信完了を報知するステップと、
を備える。
【００２４】
この方法により、非接触通信後に、自動的に非接触通信の完了を使用者に通知可能な携帯端末装置の動作制御方法を提供することができる。
【発明の効果】
【００２５】
本発明によれば、非接触通信後に、自動的に非接触ＩＣ機能に関する情報を表示可能な携帯端末装置および携帯端末装置の動作制御方法を提供することができる。
【００２６】
また、本発明によれば、非接触通信後に、自動的に非接触通信の完了を使用者に通知可能な携帯端末装置および携帯端末装置の動作制御方法ができる。
【発明を実施するための最良の形態】
【００２７】
図１は、本発明の実施形態を説明するための携帯電話機を示す概略構成図である。また、図２は、本発明の実施形態における非接触通信を説明する概念図である。図１に示すように、本実施形態の携帯電話機１は、携帯電話部１０と、非接触ＩＣカード機能部２０とを備える。また、図２に示すように、携帯電話機１の非接触ＩＣカード機能部２０は、所定の距離以内までリーダ／ライタ装置２に近付くと、非接触ＩＣカード機能部２０とリーダ／ライタ装置２との間で通信が確立する。
【００２８】
携帯電話部１０は、携帯電話用アンテナ１１と、携帯電話用無線回路１２と、携帯電話用制御回路１３と、携帯電話用通話回路１４と、マイク１５と、スピーカ１６と、入力装置１７と、表示装置１８とを備える。
【００２９】
携帯電話用アンテナ１１は携帯電話用無線回路１２に接続され、無線基地局と音声または非音声の無線通信を行う。携帯電話用制御回路１３は、携帯電話用無線回路１２と携帯電話用通話回路１４を制御し、基地局を介して通話相手との接続や切断の制御を行うとともに、入力装置１７から入力された携帯電話機１に関する各種の設定情報を記憶し、その内容に応じた動作を行う。
【００３０】
携帯電話用通話回路１４にはマイク１５とスピーカ１６が接続され、通話相手との音声信号の通信を行うとともに、携帯電話用制御回路１３からの指示により、着信音などの各種鳴動音をスピーカ１６から鳴動させる。
【００３１】
非接触ＩＣカード機能部２０は、非接触ＩＣ用アンテナ２１、非接触ＩＣ用無線回路２２、非接触ＩＣ用制御回路２３とを有して構成される。非接触ＩＣ用アンテナ２１は非接触ＩＣ用無線回路２２に接続され、外部のリーダ／ライタ装置２との無線通信（以下、非接触通信）を行う。非接触ＩＣ用制御回路２３は外部のリーダ／ライタ装置２との通信を制御するとともに、この通信内容を携帯電話用制御回路１３に通知する。
【００３２】
ここで、非接触ＩＣ制御回路２３は、非接触通信の制御および非接触通信に基づいた処理を行う制御機能を有するとともに、非接触ＩＣカード機能に関連した情報を記憶する記憶機能を有するものである。また、本実施形態では、非接触ＩＣ用アンテナ２１はコイルを備え、リーダ／ライタ装置２が発する電磁波等の信号によって生じる誘導起電力を利用して非接触ＩＣカード機能部２０を動作させる無電池型の場合を例にとって説明する。
【００３３】
なお、この非接触ＩＣ部２０は、携帯電話機１から脱着可能に設けられてもよい。また、非接触ＩＣ制御回路２３のみが記憶媒体として携帯電話機１から脱着可能に設けられてもよい。また、非接触ＩＣ制御回路２３は、非接触ＩＣ機能に関連した情報として、所望のアプリケーション等を記憶してもよく、また、これらの情報は、携帯電話部１によってダウンロードされた情報を携帯電話用制御回路１３を介して記憶してもよい。
【００３４】
図３は、本発明の実施形態に係る携帯電話機の動作制御方法の一例を示すフロー図である。ここで、非接触ＩＣカード機能の一例として、駅の自動改札通過に用いられるプリペイドカード機能を有する非接触ＩＣカード機能を例にとって説明する。
【００３５】
まず、携帯電話機１の使用者が、駅の構内に入場する際に改札機に携帯電話１をかざすと、非接触ＩＣ用アンテナ２１は改札機に内蔵されているリーダ／ライタ装置２が発する信号を受信する（Ｓ３０１のＹＥＳ）。そして、非接触ＩＣカード機能部２０の非接触ＩＣ用制御部２３は受信した信号によって電力が供給されて起動し、リーダ／ライタ装置２と携帯電話１に内蔵されている非接触ＩＣカード機能部２０とが通信を行い、非接触ＩＣ用制御回路２３は、非接触通信の制御処理や課金処理等の非接触ＩＣカード機能に関連した処理を行う（Ｓ３０２）。
【００３６】
この処理の内容としては、例えば、リーダ／ライタ装置２が非接触ＩＣカード機能部２０への読出し要求を行うと、非接触ＩＣ用制御回路２３は記憶されている管理情報を読み出してリーダ／ライタ装置２へ送信するものである。また、リーダ／ライタ装置が非接触ＩＣカード機能部２０への差引金額情報等の書き込みデータ等を送信すると、非接触ＩＣ用制御回路２３は、プリペイドカード機能における記憶されている残額情報等を更新するものである。
【００３７】
リーダ／ライタ装置２との通信が完了すると（Ｓ３０３のＹＥＳ）、非接触ＩＣ用制御回路２３は非接触通信が行われた旨を携帯電話用制御回路１３に通知するとともに、非接触ＩＣカード用制御回路２３が管理している情報を携帯電話用制御回路１３に送信する（Ｓ３０４）。
【００３８】
携帯電話用制御回路１３は、この通知を受けると、鳴動音をスピーカ１６から鳴動させて使用者に報知するとともに、受信した情報に基づいて表示情報を作成して表示装置１８に自動的に表示させる（Ｓ３０５）。この表示内容の一例としては、改札を通過した時点の前払い金の残金情報である。また、駅の構内から出場する際に改札機に携帯情報端末をかざした場合も同様に、鳴動音による通知と、表示装置１８への残金表示が行われる。
【００３９】
また、非接触通信が行われた旨を、上に述べたスピーカ１６からの音声出力のほか、バイブレータによる携帯電話機１の筐体の振動出力、着信等を報知するランプの点灯等、またはこれらの組み合わせによって携帯電話機１の使用者へ報知してもよい。さらには、この報知は、表示装置１８における残金表示等による表示も含むものである。この表示装置１８において、画面を所定時間点滅させる等を行えば、さらに使用者が通信完了を認識しやすくすることができる。
【００４０】
そして、携帯電話用制御回路１３は、表示装置１８に、残金等の表示情報を所定時間表示させ（Ｓ３０６）、その後に待ち受け画面表示等の所定の画面、または、残金等の表示情報を表示させる前に表示されていた情報に自動的に切り替える（Ｓ３０７）。この表示情報を表示させる時間は、使用者が入力装置１７を用いて任意に設定可能であり、携帯電話用制御回路１３は設定された表示時間、表示情報を表示させる。
【００４１】
図４は、本発明の実施形態に係る携帯電話機の動作制御方法の別の例を示すフロー図である。ここで、図３のフロー図と重複する部分には同一の符号を付す。
【００４２】
図４において、携帯電話機１の非接触ＩＣ部２０とリーダ／ライタ装置２との間の通信が完了すると（Ｓ３０３のＹＥＳ）、非接触ＩＣ用制御回路２３は非接触通信が行われた旨を携帯電話用制御回路１３に通知する（Ｓ４０１）。携帯電話用制御回路１３は、この非接触通信が行われた旨の通知を受けると、非接触ＩＣカード用制御回路２３が管理している情報を読み出す。（Ｓ４０２）。
【００４３】
そして、携帯電話用制御回路１３は、この通知を受けると、鳴動音をスピーカ１６から鳴動させて使用者に通知するとともに、受信した情報に基づいて表示情報を作成して表示装置１８に自動的に表示させる（Ｓ３０５）。
【００４４】
以上のように本発明の実施形態の携帯電話機１によれば、携帯電話機１の使用者は、非接触ＩＣカード機能部２０が外部のリーダ／ライタ装置２と非接触の通信を行うたびに、非接触ＩＣカード機能部２０の管理情報が表示装置１８に自動的に表示されるので、非接触ＩＣカードに関連した情報を確認するために使用者がわずらわしい操作を都度行う必要がない。
【００４５】
この非接触ＩＣカード機能に関連した情報は、リーダ／ライタ装置側に設けられる表示部で確認できる場合もある。しかしながら、その表示部が改札口等に設けられた場合には、改札口を通り抜ける間に表示情報を確認する必要があり、その表示情報を確認するのに十分な時間が確保できない場合があるが、本実施形態の携帯電話機１では、使用者が携帯する携帯電話機１にその表示情報が所定時間表示されるので、使用者は表示情報を十分に確認することができる。
【００４６】
また、この表示内容は携帯電話用制御回路１３が、所定時間経過後に自動的に待ち受け画面表示等に切り替えるので、使用者の操作を必要としない。また、非接触ＩＣカード機能部２０が外部のリーダ／ライタ装置と非接触の通信を行うたびにスピーカ１６から鳴動音が再生されるので、使用者に通信が終了したことを通知することができる。
【００４７】
なお、本発明の実施形態では、携帯端末装置の一例として携帯電話端末を例にとって説明したが、携帯情報端末（ＰＤＡ：Personal Digital Assistant）等、種々の携帯端末装置に適用可能である。
【００４８】
また、非接触ＩＣカード機能の一例として、駅の自動改札等を通過するためのプリペイドカード機能を例にとって説明したが、他の態様のプリペイドカード機能や、デビットカード機能、クレジットカード機能等、種々の機能に適用可能である。
【産業上の利用可能性】
【００４９】
本発明は、非接触通信後に、自動的に非接触ＩＣ機能に関する情報を表示可能な効果を有し、携帯電話機等の携帯端末装置および携帯端末装置の動作制御方法等に有用である。
【００５０】
また、本発明は、非接触通信後に、自動的に非接触通信の完了を使用者に通知可能な効果を有し、携帯電話機等の携帯端末装置および携帯端末装置の動作制御方法等に有用である。
【図面の簡単な説明】
【００５１】
【図１】本発明の実施形態を説明するための携帯電話機を示す概略構成図
【図２】本発明の実施形態における非接触通信を説明する概念図
【図３】本発明の実施形態に係る携帯電話機の動作制御方法の一例を示すフロー図
【図４】本発明の実施形態に係る携帯電話機の動作制御方法の別の例を示すフロー図
【符号の説明】
【００５２】
１  携帯電話機
２  リーダ／ライタ装置
１０  携帯電話部
１１  携帯電話用アンテナ
１２  携帯電話用無線回路
１３  携帯電話用制御回路
１４  携帯電話用通話回路
１５  マイク
１６  スピーカ
１７  入力装置
１８  表示装置
２０  非接触ＩＣカード機能部
２１  非接触ＩＣ用アンテナ
２２  非接触ＩＣ用無線回路
２３  非接触ＩＣ用制御回路
【図１】
2005167658.tif 000003
【図２】
2005167658.tif 000004
【図３】
2005167658.tif 000005
【図４】
2005167658.tif 000006